(57)【要約】【課題】ウエブ又はシートから４隅にＲ部を有するカードを打ち抜く時に、良好な切断面を得ることが出来るカード打ち抜きユニット及びカード打ち抜き装置を提供すること。【解決手段】互いに開閉する一対の型体により、ウエブ又はシートから４隅にＲ部を有するカードを打ち抜くカード打ち抜きユニットにおいて、カード形状の孔部を有するダイを備えた一方の型体と、前記ダイの孔部内に嵌合するパンチを備えた他方の型体と、前記一対の型体の開閉に同期して移動して前記カードを打ち抜く時に前記ダイとで前記ウエブ又はシートを挟持するストリッパと、前記一対の型体の開閉に同期して移動して前記カードを打ち抜く時に前記パンチとで前記ウエブ又はシートを挟持するノックアウトと、を有し、前記カードを打ち抜く時に、前記ノックアウトを前記カードの少なくとも一方の対角の隅の内側近傍から接触させるように構成したことを特徴とするカード打ち抜きユニット。【選択図】図５
2007181905.tif 000002
【特許請求の範囲】
【請求項１】
互いに開閉する一対の型体により、ウエブ又はシートから４隅にＲ部を有するカードを打ち抜くカード打ち抜きユニットにおいて、
カード形状の孔部を有するダイを備えた一方の型体と、
前記ダイの孔部内に嵌合するパンチを備えた他方の型体と、
前記一対の型体の開閉に同期して移動して、前記カードを打ち抜く時に前記ダイとで前記ウエブ又はシートを挟持するストリッパと、
前記一対の型体の開閉に同期して移動して、前記カードを打ち抜く時に前記パンチとで前記ウエブ又はシートを挟持するノックアウトと、を有し、
前記カードを打ち抜く時に、前記ノックアウトを前記カードの少なくとも一方の対角の隅から接触させるように構成したことを特徴とするカード打ち抜きユニット。
【請求項２】
互いに開閉する一対の型体により、ウエブ又はシートから４隅にＲ部を有するカードを打ち抜くカード打ち抜きユニットにおいて、
カード形状の孔部を有するダイを備えた一方の型体と、
前記ダイの孔部内に嵌合するパンチを備えた他方の型体と、
前記一対の型体の開閉に同期して移動して、前記カードを打ち抜く時に前記ダイとで前記ウエブ又はシートを挟持するストリッパと、
前記一対の型体の開閉に同期して移動して、前記カードを打ち抜く時に前記パンチとで前記ウエブ又はシートを挟持するノックアウトと、を有し、
前記カードを打ち抜く時に、前記ストリッパを前記カードの少なくとも一方の対角の隅から接触させるように構成したことを特徴とするカード打ち抜きユニット。
【請求項３】
互いに開閉する一対の型体により、ウエブ又はシートから４隅にＲ部を有するカードを打ち抜くカード打ち抜きユニットにおいて、
カード形状の孔部を有するダイを備えた一方の型体と、
前記ダイの孔部内に嵌合するパンチを備えた他方の型体と、
前記一対の型体の開閉に同期して移動して、前記カードを打ち抜く時に前記ダイとで前記ウエブ又はシートを挟持するストリッパと、
前記一対の型体の開閉に同期して移動して、前記カードを打ち抜く時に前記パンチとで前記ウエブ又はシートを挟持するノックアウトと、を有し、
前記カードを打ち抜く時に、前記ノックアウトを前記カードの前記４隅と、対向する２辺から接触させるように構成したことを特徴とするカード打ち抜きユニット。
【請求項４】
互いに開閉する一対の型体により、ウエブ又はシートから４隅にＲ部を有するカードを打ち抜くカード打ち抜きユニットにおいて、
カード形状の孔部を有するダイを備えた一方の型体と、
前記ダイの孔部内に嵌合するパンチを備えた他方の型体と、
前記一対の型体の開閉に同期して移動して、前記カードを打ち抜く時に前記ダイとで前記ウエブ又はシートを挟持するストリッパと、
前記一対の型体の開閉に同期して移動して、前記カードを打ち抜く時に前記パンチとで前記ウエブ又はシートを挟持するノックアウトと、を有し、
前記カードを打ち抜く時に、前記ストリッパを前記カードの前記４隅と、対向する２辺から接触させるように構成したことを特徴とするカード打ち抜きユニット。
【請求項５】
前記カードの打ち抜き開始時であって、前記ウエブ又はシートが前記ノックアウトと前記パンチとで挟持された時に、前記ノックアウトが前記ウエブ又はシートと接触する部分と接触しない部分とのノックアウト最大段差量が、前記ウエブ又はシートの厚さの１％〜１５％であることを特徴とする請求項１又は３に記載のカード打ち抜きユニット。
【請求項６】
前記カードの打ち抜き開始時であって、前記ウエブ又はシートが前記ストリッパと前記ダイとで挟持された時に、前記ストリッパが前記ウエブ又はシートと接触する部分と接触しない部分とのストリッパ最大段差量が、前記ウエブ又はシートの厚さの１％〜１５％であることを特徴とする請求項２又は４に記載のカード打ち抜きユニット。
【請求項７】
請求項１、３、５のいずれか１項に記載のノックアウトと、請求項２、４、６のいずれか１項に記載のストリッパとを組み合わせたことを特徴とするカード打ち抜きユニット。
【請求項８】
前記ノックアウト最大段差量をＮＢ、前記ストリッパ最大段差量をＳＢとしたときに、ＮＢ≧ＳＢ、であることを特徴とする請求項７に記載のカード打ち抜きユニット。
【請求項９】
前記カードの任意の１辺に相当する前記ＮＢと前記ＳＢとの合計をＷ、前記ウエブ又はシートの厚さをＴ、前記任意の１辺の部分の前記ウエブ又はシートの厚さの変動をＤとした時に、
５％×Ｔ≦Ｗ≦１５％×Ｔ、かつ、Ｗ≧Ｄであることを特徴とする請求項８に記載のカード打ち抜きユニット。
【請求項１０】
ウエブ又はシートからカードを打ち抜くためのカード打ち抜きユニットを複数備え、該複数のカード打ち抜きユニットのうち少なくとも１つが請求項１〜９のいずれか１項に記載のカード打ち抜きユニットであることを特徴とするカード打ち抜き装置。
【請求項１１】
前記複数のカード打ち抜きユニットの中央部に請求項１〜９の何れか１項に記載のカード打ち抜きユニットを有することを特徴とする請求項１０に記載のカード打ち抜き装置。
【請求項１２】
請求項１〜９の何れか１項に記載のカード打ち抜きユニットを複数有し、それらのうちの中央部にある打ち抜きユニットに比べて周辺部の打ち抜きユニットの方が、前記ノックアウト最大段差量、又は、前記ストリッパ最大段差量が小さいことを特徴とする請求項１０又は１１に記載のカード打ち抜き装置。
【発明の詳細な説明】
【技術分野】
【０００１】
本発明は、シートから複数枚のＩＣカード、クレジットカード、プリペイドカード等を打ち抜くカード打ち抜きユニット及びカード打ち抜き装置に関する。
【背景技術】
【０００２】
近年、ＩＣカード、クレジットカード、プリペイドカード等は多くの分野で利用されるようになるに伴い、カードに対する品質の要求が益々厳しくなり、これに対応するために、カード切断面の品質を更に向上させる動きも見られ、例えば、以下のような技術が提案されている。
【０００３】
１つは、パンチの４隅の山部から山部間の谷部に向かってシャー角を設けて、山部から谷部へと順次切断することにより、切れ味を向上させて良好な切断面を得ようとするものである（例えば、特許文献１参照）。
【０００４】
１つは、ダイの４隅の山部から山部間の谷部に向かってシャー角を設けて、山部から谷部へと順次切断することにより、切れ味を向上させて良好な切断面を得ようとするものである（例えば、特許文献２参照）。
【特許文献１】特開平７−３２８９９９号公報
【特許文献２】特開平７−３２９０００号公報
【発明の開示】
【発明が解決しようとする課題】
【０００５】
特許文献１又は２に記載された技術では、カードを４隅から打ち抜くため、Ｒ形状の４隅に発生しやすいササクレ、バリ、ヒゲ等はある程度抑制でき、特に、比較的薄手のシート材料（例えば、１０〜３００μｍ）を打ち抜く場合の切れ味改善には有効な手段である。
【０００６】
しかしながら、比較的厚めの切断しにくい材料（例えば、３００〜１０００μｍ）の打ち抜きを行うと、パンチ、ダイがシャー角を有しているため、山部から山部間の中央部に向かって切断が進む時に、切断と破断が繰り返されるため切断面がギザギザの荒れた状態になりやすいという欠点がある。特に、接着剤を介して積層されたＩＣカードのように機械的強度の異なる複数の積層材料の打ち抜きにおいては、接着剤からなるヒゲが形成され有効な打開策とはし難い。
【０００７】
また、シャー角形状の頂点にあたる４辺中央部においては、大きく破断され、破断された部分がそれまでに切断された部分とは同一直線上になく凸形状のササクレ、バリ、ヒゲ等になりやすい。
【０００８】
一般に、カードには顔写真等の画像を形成する場合が多く、画像形成時にササクレ、バリ、ヒゲ等が顔写真の部分に付着すると、重大な欠陥になってしまう。
【０００９】
また、カード読み取り機や書き込み機等においても、繰り返して読み取りや書き込みが行われるため、ササクレ、バリ、ヒゲ等が装置内に蓄積されて、読み取りエラー、書き込みエラー、或いは、カード搬送不良を起こしてしまう恐れがある。
【００１０】
本発明は、このような問題に鑑みてなされたもので、その目的は、ウエブ又はシートから４隅にＲ部を有するカードを打ち抜く時に、ササクレ、バリ、ヒゲ等のない良好な切断面を得ることが出来るカード打ち抜きユニット及びカード打ち抜き装置を提供することにある。
【課題を解決するための手段】
【００１１】
本発明の目的は、下記の構成により達成することが出来る。
１．互いに開閉する一対の型体により、ウエブ又はシートから４隅にＲ部を有するカードを打ち抜くカード打ち抜きユニットにおいて、
カード形状の孔部を有するダイを備えた一方の型体と、
前記ダイの孔部内に嵌合するパンチを備えた他方の型体と、
前記一対の型体の開閉に同期して移動して、前記カードを打ち抜く時に前記ダイとで前記ウエブ又はシートを挟持するストリッパと、
前記一対の型体の開閉に同期して移動して、前記カードを打ち抜く時に前記パンチとで前記ウエブ又はシートを挟持するノックアウトと、を有し、
前記カードを打ち抜く時に、前記ノックアウトを前記カードの少なくとも一方の対角の隅から接触させるように構成したことを特徴とするカード打ち抜きユニット。
２．互いに開閉する一対の型体により、ウエブ又はシートから４隅にＲ部を有するカードを打ち抜くカード打ち抜きユニットにおいて、
カード形状の孔部を有するダイを備えた一方の型体と、
前記ダイの孔部内に嵌合するパンチを備えた他方の型体と、
前記一対の型体の開閉に同期して移動して、前記カードを打ち抜く時に前記ダイとで前記ウエブ又はシートを挟持するストリッパと、
前記一対の型体の開閉に同期して移動して、前記カードを打ち抜く時に前記パンチとで前記ウエブ又はシートを挟持するノックアウトと、を有し、
前記カードを打ち抜く時に、前記ストリッパを前記カードの少なくとも一方の対角の隅から接触させるように構成したことを特徴とするカード打ち抜きユニット。
３．互いに開閉する一対の型体により、ウエブ又はシートから４隅にＲ部を有するカードを打ち抜くカード打ち抜きユニットにおいて、
カード形状の孔部を有するダイを備えた一方の型体と、
前記ダイの孔部内に嵌合するパンチを備えた他方の型体と、
前記一対の型体の開閉に同期して移動して、前記カードを打ち抜く時に前記ダイとで前記ウエブ又はシートを挟持するストリッパと、
前記一対の型体の開閉に同期して移動して、前記カードを打ち抜く時に前記パンチとで前記ウエブ又はシートを挟持するノックアウトと、を有し、
前記カードを打ち抜く時に、前記ノックアウトを前記カードの前記４隅と、対向する２辺から接触させるように構成したことを特徴とするカード打ち抜きユニット。
４．互いに開閉する一対の型体により、ウエブ又はシートから４隅にＲ部を有するカードを打ち抜くカード打ち抜きユニットにおいて、
カード形状の孔部を有するダイを備えた一方の型体と、
前記ダイの孔部内に嵌合するパンチを備えた他方の型体と、
前記一対の型体の開閉に同期して移動して、前記カードを打ち抜く時に前記ダイとで前記ウエブ又はシートを挟持するストリッパと、
前記一対の型体の開閉に同期して移動して、前記カードを打ち抜く時に前記パンチとで前記ウエブ又はシートを挟持するノックアウトと、を有し、
前記カードを打ち抜く時に、前記ストリッパを前記カードの前記４隅と、対向する２辺から接触させるように構成したことを特徴とするカード打ち抜きユニット。
５．前記カードの打ち抜き開始時であって、前記ウエブ又はシートが前記ノックアウトと前記パンチとで挟持された時に、前記ノックアウトが前記ウエブ又はシートと接触する部分と接触しない部分とのノックアウト最大段差量が、前記ウエブ又はシートの厚さの１％〜１５％であることを特徴とする前記１又は３に記載のカード打ち抜きユニット。
６．前記カードの打ち抜き開始時であって、前記ウエブ又はシートが前記ストリッパと前記ダイとで挟持された時に、前記ストリッパが前記ウエブ又はシートと接触する部分と接触しない部分とのストリッパ最大段差量が、前記ウエブ又はシートの厚さの１％〜１５％であることを特徴とする前記２又は４に記載のカード打ち抜きユニット。
７．前記１、３、５のいずれか１項に記載のノックアウトと、前記２、４、６のいずれか１項に記載のストリッパとを組み合わせたことを特徴とするカード打ち抜きユニット。
８．前記ノックアウト最大段差量をＮＢ、前記ストリッパ最大段差量をＳＢとしたときに、ＮＢ≧ＳＢ、であることを特徴とする前記７に記載のカード打ち抜きユニット。
９．前記カードの任意の１辺に相当する前記ＮＢと前記ＳＢとの合計をＷ、前記ウエブ又はシートの厚さをＴ、前記任意の１辺の部分の前記ウエブ又はシートの厚さの変動をＤとした時に、
５％×Ｔ≦Ｗ≦１５％×Ｔ、かつ、Ｗ≧Ｄであることを特徴とする前記８に記載のカード打ち抜きユニット。
１０．ウエブ又はシートからカードを打ち抜くためのカード打ち抜きユニットを複数備え、該複数のカード打ち抜きユニットのうち少なくとも１つが前記１〜９のいずれか１項に記載のカード打ち抜きユニットであることを特徴とするカード打ち抜き装置。
１１．前記複数のカード打ち抜きユニットの中央部に前記１〜９の何れか１項に記載のカード打ち抜きユニットを有することを特徴とする前記１０に記載のカード打ち抜き装置。
１２．前記１〜９の何れか１項に記載のカード打ち抜きユニットを複数有し、それらのうちの中央部にある打ち抜きユニットに比べて周辺部の打ち抜きユニットの方が、前記ノックアウト最大段差量、又は、前記ストリッパ最大段差量が小さいことを特徴とする前記１０又は１１に記載のカード打ち抜き装置。
【発明の効果】
【００１２】
ウエブ又はシートから４隅にＲ部を有するカードを打ち抜く時に、パンチに対向配置されたノックアウトをカードの少なくとも一方の対角の隅の内側近傍から接触させるように構成することにより、４隅の切断面におけるササクレ、バリ、ヒゲ等、各辺の切断面におけるギザギザ、ヒゲ等、及び、各辺の中央部における凸状のササクレ、バリ、ヒゲ等の発生を防止して、極めて良好な切断面を有するカードを提供することが出来る。
【発明を実施するための最良の形態】
【００１３】
以下、本発明に係わるカード打ち抜きユニット及びカード打ち抜き装置の実施の形態の一例を図を参照しながら説明する。
【００１４】
以下に述べる実施の形態では、対象とするカードは４隅にＲ部を有するＩＣカードであるが、これに限定されるものではなく、例えば、４隅にＲ部を有するクレジットカード、プリペイドカード等であっても良い。
【００１５】
また、以下の実施の形態における断定的な説明は、ベストモードを示すものであって、本発明の用語の意義や技術的範囲を限定するものではない。
【００１６】
先ず、第１の実施の形態における打ち抜きの対象シートであるＩＣカードシート（以下、単にシートという）、及び、製品であるＩＣカード（以下、単にカードという）の概要を図１３を用いて、説明する。
【００１７】
図１３（ａ）はシートの分解斜視図、図１３（ｂ）はＩＣモジュールの拡大斜視図、図１３（ｃ）はシートよりＩＣカードを打ち抜いた状態を示す斜視図である。
【００１８】
図１３（ａ）において、ＳはＩＣカード用のシートを示す。シートＳは、複数のＩＣモジュール３０１を整列配置・貼着したコアシート３０２、コアシート３０２の上側に接着される第１のシート３０３と、コアシート３０２の下側に接着される第２のシート３０４等から構成されている。３０３Ａは第１のシート３０３に印刷等により形成されたＩＣカード用の図柄を示す。
【００１９】
図１３（ｂ）において、ＩＣモジュール３０１は、ＩＣチップ３０１Ａとループアンテナ３０１Ｂとを有している。
【００２０】
図１３（ｃ）において、ＣはシートＳより図柄３０３Ａに合わせて、本発明に係わるカード打ち抜きユニットを複数配置したカード打ち抜き装置により打ち抜かれたＩＣカードを示す。
【００２１】
ここで、コアシート３０２、第１のシート３０３、第２のシート３０４、これらのシートを接着する接着剤について説明する。
（コアシート３０２）
コアシート３０２は絶縁性のシートであり、適用可能な樹脂としては、一般用ポリスチレン樹脂、耐衝撃用ポリスチレン樹脂、ポリエステル，ポリエチレンテレフタレート，ポリエチレンナフタレート等のポリエステル系樹脂、ポリプロピレン等のポリオレフィン系樹脂、セルローストリアセテート，セルロールジアセテート等のセルロース系樹脂、ＡＢＳ（アクリロニトリル−ブタジエン−スチレン共重合体）樹脂、アクリロニトリル−スチレン樹脂、ポリスチレン樹脂、ポリアクリロニトリル樹脂、ポリアクリル酸メチル樹脂、ポリメチルメタクリレート樹脂、ポリアクリル酸エチル樹脂、ポリエチルメタクリレート樹脂、酢酸ビニル樹脂等、従来からインレットシートに使用される公知の樹脂が挙げられる。
（第２のシート３０４）
第２のシート３０４は、この上に設けた画像を記録するための受像層３０４Ａで形成される画像を引き立たせるために、白色の顔料を混入させ、気泡をハニカム構造に折り込んだ例えばポリエチレンテレフタレート（ＰＥＴ）又はポリプロピレン（ＰＰ）等で成形されることが好ましく、特に、２軸延伸された樹脂、具体的には２軸延伸ポリエステルフィルムであることが、薄くても強度があるので好ましいが、本発明はこれに限られない。２軸延伸ポリエステルフィルムの膜厚は１２μｍ以上（更に好ましくは２５μｍ以上）が好ましく、また３００μｍ以下（更に好ましくは２５０μｍ以下）が好ましい。
（受像層３０４Ａ）
受像層３０４Ａは画像を受容しうる層のことであり、昇華染料や拡散染料がサーマルヘッドで加熱されて熱拡散する時に、染料をトラップして定着させる素材で構成されているのが好ましく、例えば、ポリ塩化ビニル樹脂、ポリエステル樹脂、ポリビニルアセタール樹脂、ポリビニルブチラール樹脂、エポキシ樹脂、アクリル樹脂等のような高分子材料が良好な受像層の素材として知られている。
（保護層３０４Ｂ）
受像層３０４Ａの上には記録された画像を保護するために保護層３０４Ｂを設けることが好ましく、保護層は透明で保護効果があれば特に制限がないが、特にアクリル酸エステル、アクリルアミド等の活性光線硬化樹脂が好ましい。
（第１のシート３０３）
第１のシート３０３は、本来の要求機能としては何でも良いが、ＩＣカードに加圧加熱した時に、上、下の素材構成が対称であった方が反りが小さく、平坦な面が得られるので第２のシート３０４と同一の構成であることが好ましい。
（筆記層３０３Ｂ）
第１のシート３０３上に設けた筆記層３０３Ｂは、例えばポリエステルエマルジョンに炭酸カルシウム、シリカ微粒子等を拡散したものが好ましく、表面支持体の受像層と同様に、溶剤で溶かして、グラビアコータ等で塗布してから、乾燥させ、溶剤を気化させて形成することが好ましい。
【００２２】
筆記層３０３Ｂの厚さは、受像層３０４Ａとほぼ同じ程度にすることが好ましく、また、筆記性を良くするために筆記層表面には細かい凹凸面を有するのがより好ましい。
（接着剤）
接着剤は湿気反応型ホットメルト接着剤であり、樹脂を溶融させて接着した後、湿気を吸収して樹脂が硬化するタイプの接着剤である。その特徴として、通常のホットメルトと比較して硬化反応を有する上、それに要するだけ接着可能時間が長く、かつ接着後に軟化温度が高くなるため耐久性に富み、低温での加工に適していることが挙げられる。湿気反応型ホットメルト接着剤の１例として、分子末端にイソシアネート基含有ウレタンポリマーを主成分とし、このイソシアネート基が水分と反応して架橋構造を形成するものがある。
【００２３】
本発明に使用できる湿気反応型ホットメルト接着剤としては住友スリーエム社製ＴＥ０３０、ＴＥ１００、日立化成ポリマー社製ハイボン４８２０、カネボウエヌエスシー社製ボンドマスター１７０シリーズ、Ｈｅｎｋｅｌ社製Ｍａｃｒｏｐｌａｓｔ  ＱＲ  ３４６０等が挙げられる。
【００２４】
次に、上述したシートを打ち抜くためのカード打ち抜きユニットを複数配置したカード打ち抜き装置について図面を参照しながら説明する。
【００２５】
勿論、カード打ち抜き装置は、ＩＣカード以外のカード、例えば、クレジットカード、プリペイドカード等の打ち抜きにも適用可能である。
【００２６】
カード打ち抜き装置の概略構成を図１、図２を用いて説明する。
【００２７】
図１はカード打ち抜き装置の平面図、図２は図１のＡ−Ａ断面図である。
【００２８】
カード打ち抜き装置１は、プッシュバック方式と呼ばれるもので、不図示の送り装置により図１に矢印Ｆで示す方向へ間欠的に送られるシートＳから製品であるカードＣを５枚ずつ同時に打ち抜いていくものである。
【００２９】
なお、本実施の形態では、シートＳは枚葉であるが、連続したウエブであっても良い。
【００３０】
図２において、１００は一方の型体としての下型、１５０は下型１００の上方に位置する他方の型体としての上型であり、当該上型１５０は不図示のプレスの駆動により上下動し、下型１００に対して開閉する。
【００３１】
下型１００は、下側基板１０１、当該下側基板１０１上にボルト等により固定された、上面が平面形状のダイ１０２等で構成されている。
【００３２】
ダイ１０２には、図１のシートＳの搬送方向Ｆに直交する方向に一列に並ぶように、カードＣの形状をなす垂直方向のダイ孔部１０３が、５箇所形成されている。
【００３３】
１０４は、ダイ孔部１０３に摺動自在に嵌合し、打ち抜かれたカードＣをシートＳの打ち抜かれた孔部に戻すためのノックアウトであり、連結棒１０５を介して、ストッパ１０６に結合されている。
【００３４】
ストッパ１０６は、第１バネ１０７により上方に付勢され、ダイ１０２に形成された下型段差部１０８に当接している。ストッパ１０６が下型段差部１０８に当接した状態では、ノックアウト１０４の最上面がダイ１０２の上面と同じ高さになるよう構成されている。
【００３５】
連結棒１０５は、ダイ１０２に形成された垂直方向のガイド孔１０９に不図示のベアリングを介して下型１００、上型１５０の開閉に同期して上下方向に移動する。
【００３６】
なお、ノックアウト１０４の詳細については、本発明の特徴であるので後述する。
【００３７】
上型１５０は、５個のパンチ１５２と、当該５個のパンチをボルト等により一体的に固定した型体基体である上側基板１５１等により構成されている。
【００３８】
パンチ１５２の下方部は、ダイ１０２のダイ孔部１０３の上部に挿脱自在に嵌合する。
【００３９】
１６０はストリッパであり、５個のストリッパ１６０が、５個のパンチ１５２の下方部を囲み、かつ、下型１００、上型１５０の開閉に同期して、各々独立に上下方向に移動出来るように配設されている。
【００４０】
１５３は、図２において上型１５０の左右の端部に、下方に向いて固定されたガイドポストであり、下側基板１０１に装着されたスライドベアリング１１０に摺動自在に嵌合している。
【００４１】
次に、ストリッパ１６０について、図３、図４を用いて説明する。
【００４２】
図３は図１のＢ−Ｂ断面のパンチ側の断面図、図４は図２のストリッパ及びパンチを矢印Ｄ方向からみた図である。
【００４３】
５個のストリッパ１６０は、５個のパンチ１５２を、各々独立に囲むように形成され、図４に示すように、パンチ１５２の外周との間に僅かな隙間を持ったストリッパ孔部１６１を有している。
【００４４】
１６２は、図４に示すように、ストリッパ１６０の４隅に固定されたガイドピンで、上側基板１５１に装着されたスライドベアリング１６３に、図３の上下方向に移動自在に嵌合している。
【００４５】
ストリッパ１６０は、図３に示すように、上側基板１５１とストリッパ１６０との間に装着された第２バネ１６４により、ダイ１０２側に付勢されているが、ガイドピン１６２の上端部のフランジ部１６５が、上側基板１５１に形成された上型段差部１６６に当接することにより、下方への移動が規制されている。
【００４６】
フランジ部１６５が、上型段差部１６６に当接した状態では、ストリッパ１６０の下面は、図３に示すように、パンチ１５２の下面より下方になるように構成されている。
【００４７】
次に、本発明の特徴である、ササクレ、バリ、ヒゲ等のない良好な切断面を得ることが出来るノックアウト１０４、及び、ストリッパ１６０の詳細について説明する。
【００４８】
先ず、ノックアウト１０４について図５を用いて説明する。図５はノックアウト１０４をパンチ１５２側から見た斜視図である。
【００４９】
ダイ１０２のダイ孔部１０３に摺動自在に嵌合しているノックアウト１０４は、孔部１０３の内側近傍に形成された所定幅のカード押さえ部１０４Ａを有し、カード押さえ部１０４Ａの内側にはカード押さえ部１０４Ａよりも一段下がったフラット部１０４Ｂを有し、全体で凹形状をなしている。
【００５０】
カード押さえ部１０４Ａは、カードＣの４隅のＲ部の内側近傍で、かつ、ほぼカードＣのＲ部に対応する範囲がフラットなＲ部内側押さえ部１０４Ｃ（黒く塗りつぶした部分）、Ｒ部内側押さえ部１０４Ｃよりも低く、カードＣの各辺の中央部に向かって傾斜面をなすノックアウト逃げ部１０４Ｄで形成されている。
【００５１】
次に、ストリッパ１６０について図６を用いて説明する。
【００５２】
図６はストリッパ１６０をダイ１０２側から見た斜視図である。
【００５３】
１５２Ａは、ダイ１０２の孔部１０３に嵌合するパンチ１５２の外周部である。
【００５４】
ストリッパ１６０は、パンチ１５２の外周部１５２Ａの外側近傍に所定幅のシート押さえ部１６０Ａを有している。
【００５５】
シート押さえ部１６０Ａは、カードＣの４隅のＲ部の外側近傍で、かつ、カードＣの４隅のＲ部に対応する範囲がフラットなＲ部外側押さえ部１６０Ｂ（黒く塗りつぶした部分）、Ｒ部外側押さえ部１６０Ｂよりも低く、カードＣの各辺の中央部に向かって傾斜面をなすストリッパ逃げ部１６０Ｃで形成されている。
【００５６】
次に、上述した構成のカード打ち抜き装置１の動作について、図７、図８を用いて説明する。
【００５７】
図７はカードＣのＲ部におけるカード打ち抜き装置１の拡大断面図、図８はカードＣの任意の１辺におけるカード打ち抜き装置１の拡大断面図である。
【００５８】
図７に示すように、パンチ１５２の下降に伴い、シートＳはノックアウト１０４の４隅のＲ部内側押さえ部１０４Ｃ（図５参照）に最初に接触するとともに、ストリッパ１６０の４隅のＲ部外側押さえ部１６０Ｂ（図６参照）に接触し、パンチ１５２が更に下降すると、カードＣの４隅のＲ部から切断が開始される。
【００５９】
一方、パンチ１５２が下降してカードＣの４隅のＲ部から切断が開始されるが、ノックアウト１０４、ストリッパ１６０は、ノックアウト逃げ部１０４Ｄ、ストリッパ逃げ部１６０Ｃ（図５、図６参照）を有しているため、シートＳのカードＣの各辺に相当する部分は、図８に示すように、パンチ１５２及びダイ１０２によりシートＳが傾斜した状態になり、カードＣの４隅のＲ部から開始された切断はカードＣの各辺の中央部に向かって切断が進行する。
【００６０】
各辺の中央部の切断が完了するとパンチ１５２が上昇するとともに、ノックアウト１０４が打ち抜かれたカードＣを押し上げ、シートＳのカードＣが打ち抜かれた孔部に挿入し、挿入が完了するとシートＳが所定ピッチ送られて次の切断に備える。
【００６１】
以上説明したように、カードＣの４隅のＲ部を最初に、かつ、同時に切断することにより、例えば、図９（ａ）に示すように、カードＣの各辺の中央部からＲ部に向かって切断する時に２つの切断線の不一致により発生するササクレ、バリ等を解消することが可能になるとともに、図９（ｂ）に示すように、パンチ、ダイにシャー角を設けて切断する時に各辺の直線部に発生する切断、破断の繰り返しによるギザギザや、シャー角の交点で発生する破断による凸状のヒゲ、バリ等の発生を解消することが可能になる。
【００６２】
このように、本第１の実施の形態のカード打ち抜き装置を用いることにより、カードの外周部全域においてササクレ、バリ、ヒゲ等のない良好な切断面を有するカードを得ることが出来る。
【００６３】
なお、第１の実施の形態では、４隅のＲ部、即ち、２つの対角の隅を同時に、かつ、最初に押さえるようにしたが、１つの対角の隅を同時に、かつ、最初に押さえるように構成しても良い。
【００６４】
更に、カードＣの各辺に対応するノックアウト１０４、ストリッパ１６０の逃げ部の形状は、例えば、図１０に示すような形状であっても良い。
【００６５】
図１０において、（ａ）は本第１の実施の形態に適用したものであり、各辺の中央部に向かう傾斜面で形成したもの、（ｂ）は傾斜面と直線とで形成したもの、（ｃ）は下側に凸の曲線で繋いだもの、（ｄ）は曲線と中央部の直線とで形成したもの、（ｅ）はＳ字曲線で形成したもの、（ｆ）は直線で形成したものである。
【００６６】
次に、上記構成のカード打ち抜き装置の好ましい様態について説明する。
【００６７】
（１）図１０（ａ）において、カードＣを打ち抜く時に、ノックアウト１０４がカードＣに接触する部分（Ｒ部に対応）と接触しない部分（各辺の直線部に対応）の最下部との段差量（ノックアウト最大段差量）をＮＢ、ストリッパ１６０がシートＳに接触する部分と接触しない部分との段差量（ストリッパ最大段差量）をＳＢとした時に、ＮＢ≧ＳＢであることが好ましい。
【００６８】
一般に、ノックアウト側よりもストリッパ側の方が、カード打ち抜き時にカードＣが傾斜することを抑制する機能が強いため、このようにＮＢ≧ＳＢにすることにより、各辺の直線部の切れ味低下を防止することが出来る。
【００６９】
（２）カードＣの任意の１辺におけるノックアウト最大段差量ＮＢとストリッパ段差量ＳＢとの合計をＷとし、シートＳの厚さをＴ、上記１辺のシートＳの厚さ変動（バラツキ）をＤとした時に、５％×Ｔ≦Ｗ≦１５％×Ｔ、かつ、Ｗ≧Ｄであることが好ましい。
【００７０】
Ｗ＜５％×Ｔでは、破断面が多くなり、カードＣの直線部の切断時にギザギザが発生してしまい、Ｗ＞１０％×Ｔでは、カードＣの直線部を切断する時にカード傾斜が大きくなり過ぎて切れ味が低下してしまう。
【００７１】
Ｗ＜Ｄでは、シートＳを押さえる時に押さえられない部分が発生するため、カード傾斜が大きくなり過ぎて切れ味が悪くなる恐れがある。
【００７２】
シートＳの厚さ変動はマイクロメータ等を用いて測定可能であり、測定箇所は出来るだけ多いことが好ましいが、対象とするシートの厚さ変動特性等を考慮して測定箇所の数を決定しても良い。
【００７３】
なお、第１の実施の形態は、図１、図２における５個のカード打ち抜きユニット１Ａ全てにおいてノックアウト１０４、又は、ストリッパ１６０に段差を設けた構成であるが、上記段差を、複数のカード打ち抜きユニットのうち少なくとも１個の打ち抜きユニット１Ａに上記段差を設けても良い。
【００７４】
このように構成することにより、段差を形成するための加工コストを抑えながら、良好な切断面を有するカードＣを得ることが出来る。
【００７５】
又は、複数のカード打ち抜きユニット１Ａ全てにおいてノックアウト１０４、又は、ストリッパ１６０に段差を設ける替わりに、上記段差を、複数のカード打ち抜きユニットの中央部の打ち抜きユニット１Ａに上記段差を設けても良い。
【００７６】
更には、複数のカード打ち抜きユニット１Ａのうち中央部のカード打ち抜きユニット１Ａに比べて周辺部におけるカード打ち抜きユニット１Ａの方が、ノックアウト最大段差量ＮＢ、又は、ストリッパ最大段差量ＳＢが小さくなるように構成しても良い。
【００７７】
一般に、カードＣの接着剤として湿気反応型ホットメルト接着剤を使用することが多いが、このような場合、シートＳの中央部は周辺部に比べて接着剤が硬化するまでに時間がかかる。しかしながら、カードＣの生産工程では生産効率が要求されるため、中央部の接着剤が十分に硬化しない状態で切断を行わなければならない場合もある。
【００７８】
このような場合に、周辺部に比べ中央部のノックアウト最大段差量ＮＢ、又は、ストリッパ最大段差量ＳＢを大きくすることにより、パンチ、ダイに設けるシャー角と同様な効果により切れ味を良くして、十分に硬化していない接着剤を引き延ばしながら切断することなく、良好な切断面を得ることが出来る。
【００７９】
次に、本発明の第２の実施の形態について説明する。
【００８０】
第１の実施の形態と異なる部分は、ノックアウト１０４、ストリッパ１６０の形状であり、それらにつてのみ説明するとともに、同一部材については同一参照符号を付すものとする。
【００８１】
ノックアウト１０４、ストリッパ１６０について図１１、図１２を用いて説明する。図１１はノックアウト１０４をパンチ１５２側から見た斜視図、図１２はストリッパ１６０をダイ１０２側から見た斜視図である。
【００８２】
図からも明らかなように、第１の実施の実施と異なる箇所は、カード押さえ部１０４Ａにおいは、Ｒ部内側押さえ部１０４Ｃ（図１０の黒く塗りつぶした部分）が、カードＣのＲ部に対応する部分だけではなくカードＣの短辺側（図の左右方向）の直線部に対応する部分にも形成されていることである。
【００８３】
シート押さえ部１６０Ａにおいては、Ｒ部外側押さえ部１６０Ｂ（図１１の黒く塗りつぶした部分）が、カードＣのＲ部に対応する部分だけではなくカードＣの短辺側（図の左右方向）の直線部に対応する部分にも形成されていることである。
【００８４】
なお、図１１、図１２のカードＣの短辺側は、図１のシートＳの搬送方向（矢印Ｆ）のカードＣの辺（短辺）に一致している。
【００８５】
次に、上記構成のカード打ち抜き装置１の動作について、図２、図７、図８を用いて説明する。
【００８６】
図７に示すように、パンチ１５２の下降に伴い、シートＳは上述した構成のＲ部内側押さえ部１０４Ｃに接触するとともに、Ｒ部外側押さえ部１６０Ｂに接触し、カードＣの４隅のＲ部及び短辺側の切断が開始される。
【００８７】
更にパンチが下降すると、図８に示すように、カードＣの長辺側が遅れて切断される。
【００８８】
図２において、５個のカード打ち抜きユニット１ＡでシートＳを同時に打ち抜いてカードＣを作製する場合、カードＣの短辺側を前述した第１の実施の形態のように、即ち、図８に示すように切断した場合、シートＳがノックアウト１６０側に曲げられることにより伸ばされて、当初の厚さよりも薄くなった状態で切断される。
【００８９】
このように、シートＳを薄くなった状態で切断すると、シートＳが切断位置で過度に傾いてしまい切断不良が発生してしまう。
【００９０】
しかしながら、カード打ち抜きユニット１Ａを複数個設けたとしても、本実施の形態のように、カードＣの短辺側をノックアウト１０４、及び、ストリッパ１６０で押さえながら切断することにより、シートＳを当初の厚さの状態で切断することが出来るため、切断不良の発生を防止することが出来る。
【００９１】
なお、第１、第２の実施の形態においては、ノックアウト１０４、及び、ストリッパ１６０に段差を設けたが、どちらか片方に段差を設ける構成としても良い。
【００９２】
この場合には、ノックアウト最大段差量ＮＢが、シートＳの厚さＴの１％〜１５％、又は、ストリッパ最大段差量ＳＢが、シートＳの厚さＴの１％〜１５％であることが好ましい。
【００９３】
また、５個のストリッパ１６０、ノックアウト１０４をそれぞれ独立に移動可能に設けたが、これに限定されることなく、例えば、５個のパンチ１５２、ダイ１０２に対して１つのストリッパ、ノックアウトで構成したり、或いは、隣接するストリッパ、ノックアウトを１つのストリッパ、ノックアウトで構成しても良い。
【００９４】
更に、カード打ち抜きユニット１Ａを単独で使用することも可能である。
【図面の簡単な説明】
【００９５】
【図１】カード打ち抜き装置の平面図。
【図２】図１のＡ−Ａ断面図。
【図３】図１のＢ−Ｂ断面。
【図４】図２のストリッパ及びパンチを矢印Ｄ方向からみた図。
【図５】ノックアウト１０４をパンチ１５２側から見た斜視図。
【図６】ストリッパ１６０をダイ１０２側から見た斜視図。
【図７】カードＣのＲ部におけるカード打ち抜き装置１の拡大断面図。
【図８】カードＣの任意の１辺におけるカード打ち抜き装置１の拡大断面図。
【図９】従来の切断面の状態を示す模式図。
【図１０】段差形状の例を示す模式図。
【図１１】ノックアウト１０４をパンチ１５２側から見た斜視図。
【図１２】ストリッパ１６０をダイ１０２側から見た斜視図。
【図１３】ＩＣカードシート、及び、ＩＣカードの模式図。
【符号の説明】
【００９６】
１  カード打ち抜き装置
１Ａ  カード打ち抜きユニット
１００  下型
１０１  下型基板
１０２  ダイ
１０３  ダイ孔部
１０４  ノックアウト
１０４Ａ  カード押さえ部
１０４Ｂ  フラット部
１０４Ｃ  Ｒ部内側押さえ部
１０４Ｄ  ノックアウト逃げ部
１０５  連結棒
１０６  ストッパ
１０７  第１バネ
１０８  下型段差部
１０９  ガイド孔
１１０  スライドベアリング
１５０  上型
１５１  上型基板
１５２  パンチ
１５２Ａ  パンチ１５２の外周部
１６０  ストリッパ
１６０Ａ  シート押さえ部
１６０Ｂ  Ｒ部外側押さえ部
１６０Ｃ  ストリッパ逃げ部
１６１  ストリッパ孔部
１６２  ガイドピン
１６３  スライドベアリング
１６４  第２バネ
１６５  フランジ部
１６６  上型段差部
Ｃ  カード
Ｄ  シートＳの厚さ変動
Ｓ  シート
Ｔ  シートの厚さ
ＮＢ  ノックアウト最大段差量
ＳＢ  ストリッパ最大段差量
Ｗ  ノックアウト最大段差量とストリッパ最大段差量との合計
【図１】
2007181905.tif 000003
【図２】
2007181905.tif 000004
【図３】
2007181905.tif 000005
【図４】
2007181905.tif 000006
【図５】
2007181905.tif 000007
【図６】
2007181905.tif 000008
【図７】
2007181905.tif 000009
【図８】
2007181905.tif 000010
【図９】
2007181905.tif 000011
【図１０】
2007181905.tif 000012
【図１１】
2007181905.tif 000013
【図１２】
2007181905.tif 000014
【図１３】
2007181905.tif 000015